(57)【特許請求の範囲】
【請求項１】
足裏の形状を測定する足裏形状測定装置において、
表面に被写体である足裏を載置すると共に載置された足裏を裏面から透視できると共に被写体の載置重量に耐えられる強度を具備している被写体載置板と、
前記被写体載置板の下面に置かれ、被写体載置板を通して被写体を撮影する撮影部と、
前記撮影部で得られた信号により足形と同寸大の映像を含む所望の大きさに縮小・拡大した映像を写したハードコピーを作るハードコピー作成部と、
箱状体の底が抜け、その底辺周囲に被写体載置板との隙間からの漏光を防止するための光遮断層を設け、上部に開けられた足挿通のための窓と、該窓を塞ぎ足挿通用のスリットを形成したポリウレタンフォーム板とを設け、被写体載置板から取り外し自在に設けられた外部光の侵入を防ぐ遮光部と、
前記遮光部の上面の窓周囲に設け足首挿通部に巾着部を有する、外部光の侵入を防止する遮光袋と、
複写部の端部に設けた、手摺となる枠材と、
を有することを特徴とする足裏形状測定装置。
【発明の詳細な説明】
【０００１】
【産業上の利用分野】
本発明は、足裏の形状を測定する足裏形状測定装置に関し、特にスキーブーツなどスポーツ用の靴のように足裏と靴底の親和性を重視する靴を作成する時に利用する足裏の型紙を安易に制作することができる足裏形状測定装置に関する。
【０００２】
【従来の技術】
人間の歩行に、靴は欠かせないものである。靴の値段を安価にするため、通常は規格に合わせて製造したものを買い求める。しかし、人間の足、特に足裏の形状は顔形と同じように千差万別の形状をしている。従って、規格に合わせて製造した靴を使用する場合、大部分の人は少なからず不具合に対して妥協をせざるを得ない。
【０００３】
このような妥協を許すことができない人は、オーダーメイドの靴を利用することになる。また、スキー、スケートなどのスポーツを行なう選手が着用する靴は個性ある各選手の足形に合ったものでなければ、よい結果は得られないとされているので、有名なアマチュアスポーツ選手やプロスポーツ選手はオーダーメイドの靴を利用する。
【０００４】
注文者からの注文に応じて靴を製造する場合、まず、平面台の上に置かれた用紙の上に、素足になった注文者の足を乗せ、鉛筆で足形を用紙の上に写しとってゆくという方法で注文者の足形をとっている。
【０００５】
【発明が解決しようとする課題】
上記のような原始的な足形の採取方法では、単に足の輪郭が採取できるだけであって、土踏まずの形状や主に重心がかかる部分など、実際に靴を製造する場合に考慮しなければならない部分の観察をすることができない。また、コンピュータグラフィック法を使用して、足形を解析する方法も一部には用いられているが、装置そのものが数千万円もする上、取扱が一般の人には難しく簡単にこれを扱うことができないのが現状である。
【０００６】
そこで、本発明の目的は、注文で靴を製造する場合、その製造に必要な注文者の足の裏の形状データを安価でしかも簡単な装置で詳細に得ることができるような足裏形状測定装置を提供しようとするものである。
【０００７】
【問題点を解決するための手段】
本願の請求項１に記載の発明は、足裏の形状を測定する足裏形状測定装置において、表面に被写体である足裏を載置すると共に載置された足裏を裏面から透視できると共に被写体の載置重量に耐えられる強度を具備している被写体載置板と、前記被写体載置板の下面に置かれ、被写体載置板を通して被写体を撮影する撮影部と、前記撮影部で得られた信号により足形と同寸大の映像を含む所望の大きさに縮小・拡大した映像を写したハードコピーを作るハードコピー作成部と、箱状体の底が抜け、その底辺周囲に被写体載置板との隙間からの漏光を防止するための光遮断層を設け、上部に開けられた足挿通のための窓と、該窓を塞ぎ足挿通用のスリットを形成したポリウレタンフォーム板とを設け、被写体載置板から取り外し自在に設けられた外部光の侵入を防ぐ遮光部と、前記遮光部の上面の窓周囲に設け足首挿通部に巾着部を有する、外部光の侵入を防止する遮光袋と、複写部の端部に設けた、手摺となる枠材と、を有することを特徴とする足裏形状測定装置を提供する。
【０００８】
【作用】
被写体である足裏を被写体載置板の上面に載置すると共に載置された足裏を被写体載置板の裏面から透視により撮影し、撮影された信号により所望の大きさの映像を写したハードコピーを作る。
【０００９】
【実施例】
次に、本発明の一実施例を図面を用いて詳細に説明する。図１は本発明にかかる足裏形状測定装置の正面図であり、図２は同側面図である。これらの図において、１は足の裏型を複写する複写部、２は接写部、４は枠材である。なお、５は被写体である素足である。
【００１０】
複写部１は撮影部６を有し、該撮影部６はレール７の上を図１の左方向から右方向に向かって移動し、その間、後に詳しく説明する接写部２上に置かれた被写体を撮影し、その映像信号をハードコピー作成部８に送る。複写部１では接写部２の上に登った被測定者９の足形を撮影部６で映像信号に変換した後、これをハードコピー部８で被写体と１：１の大きさの潜像に変換し、これを紙に転写し、排出部１０から潜像が転写されたハードコピーをトレー１１に排出する。１２は複写部１のコントロールパネルであり、これには、複写開始ボタンやコピー枚数設定ボタン、コントラスト調整ボタン等を備えているほか、被写体の大きさを自由に設定できるボタンを備えている。そして、コントロールパネル１２から出力される制御信号や設定信号はハードコピー部８に送られ、ハードコピー部８ではこれらの信号により被写体の映像をハードコピー化する。なお、この複写部１の構造は、周知の電子コピー機を用いることができる。
【００１１】
図３は複写部１と接写部２と遮光部３とを分解して示した分解斜視図である。図３からわかるように、複写部１の上面は枠１３が形成され、その内側は中空の窓１４が形成されている。枠１３の上部に接写部２が載置される。接写部２は外枠１５を持ち、その内側には透明ガラスからなる被写体載置板１６が設けられている。該被写体載置板１６には、被写体である人の全重量が掛かるため、板厚は１０ミリメートルあり、かつ強化ガラスで形成されていて、ほぼ２００キログラムの人が載っても破壊しないようになっている。なお、この被写体載置板１６上には、点線で示す位置近くに人が載ることになる。この接写部２は複写部１の上に強固に固着されるが、接写部２が被写体の重量に耐えられない時には枠材４にも固定して、これに対して複写部１２に掛かる重量を分担して付加させることもできる。
【００１２】
遮光部３は底が抜けた６面体を形成しており、その上面と側壁は遮光板からなる。遮光部３の底辺の周囲には、遮光部３の底辺と接写部２の外枠との間に生じる隙間からの光の漏洩を防ぐための光遮断層１７が設けられている。この光遮断層１７は黒色のポリウレタンフォームあるいは黒色の布地からなる。遮光部３の上面１８には四角形の窓１９があけられ、それら２つの窓には、ポリウレタンフォーム板が張られ、これの中央にスリット２０が切られている。これらスリット２０からは被写体である足を挿通させるものである。更に窓１９の周囲からは遮光袋２１が取り付けられており、足首はその上にある巾着部分２２から挿入される。図から分かるように、遮光部３は接写部２に対して取り外し自在に載置される。
【００１３】
次に本発明の上記実施例の動作を説明する。図１に示すように、接写部２の上に遮光部３を載置した後、被写体である人の足を巾着部分２２、スリット２０を通して被写体載置板１６上に置く。その後、巾着部分２２を締め付ける。これにより接写部２内部に対する漏光は避けられる。ついでコントロールパネル１２の被写体の写像の大きさを決めるスイッチを１：１に設定し、複写を開始する。この動作により被写体載置板１６上に置かれた足形は被写体載置板１６の下面から撮影されて複写され、トレー１１から足形を複写したハードコピーを取り出すことができる。この足形は、人の重量が主に掛かる部分を白く写し出す。そして白から鼠色に変化するにしたがって重量の掛かり方が少ないことを示す。従ってハードコピーの画面の濃度で重量の掛かり具合を判定することができる。このようなデータを利用して、靴底で特に重量が掛かる部分を補強して靴を設計することができるし、またまめが固まった部分にはその大きさにしたがって靴底に少しの凹みを作ると云うようなこともできる。更に、土踏まずの形状を明確に写し出すことができるので、土踏まず部分の形状を考慮した靴底あるいは敷皮の設計が可能である。
【００１４】
人によっては、足指の骨折あるいは生来の奇形などで、左右の足形が大幅に異なるような場合がある。上記の説明ではこれらの足形に対しても対応できるが、さらに細かい部分の形状を知りたい場合には、複写の倍率を０．５倍、１．５倍あるいは２．０倍にまで拡大・縮小して足形を複写する。このような動作で、足裏の詳細な形状データを得ることができ、これらの補助的な形状データを靴制作に利用できる。
【００１５】
このほか、人の重量が掛かっていない足裏の形状を撮影しようとする場合には被写体である人を枠材４にしっかり捕まらせた後、少しく足裏を被写体載置板１６から浮き上がらせ、この状態を保持したまま足裏を撮影する。
【００１６】
以上、本発明を上述の実施例により詳細に説明したが、本発明はスキー靴に対する足形を採取するばかりでなく、他のスポーツ靴、一般の靴に対する足形を採取することに使用できるなど、本発明の主旨の範囲内で種々の変形や応用が可能であり、これらの変形や応用を本発明の範囲から排除するものではない。
【００１７】
【発明の効果】
本発明は、足裏の形状を測定する足裏形状測定装置において、表面に被写体である足裏を載置すると共に載置された足裏を裏面から透視できると共に被写体の載置重量に耐えられる強度を具備している被写体載置板と、前記被写体載置板の下面に置かれ、被写体載置板を通して被写体を撮影する撮影部と、前記撮影部で得られた信号により足形と同寸大の映像を含む所望の大きさに縮小・拡大した映像を写したハードコピーを作るハードコピー作成部と、箱状体の底が抜け、その底辺周囲に被写体載置板との隙間からの漏光を防止するための光遮断層を設け、上部に開けられた足挿通のための窓と、該窓を塞ぎ足挿通用のスリットを形成したポリウレタンフォーム板とを設け、被写体載置板から取り外し自在に設けられた外部光の侵入を防ぐ遮光部と、前記遮光部の上面の窓周囲に設け足首挿通部に巾着部を有する、外部光の侵入を防止する遮光袋と、複写部の端部に設けた、手摺となる枠材と、を具備しているので、注文で靴を製造する場合、その製造に必要な注文者の足の裏の形状データを、仕事に精通していないような職人でも簡単にしかも安価に正確に得ることができる。また、形状データも遮光状態が極めてよいので正確なデータが得られ、従来のように紙型上に鉛筆で描くような簡単なデータではなく、重量が掛かる部分や、奇形形状、土踏まずの形状などの特別な形状データを得ることができるので、注文を受けた人のニーズに完全に応えることができる。
【図面の簡単な説明】
【図１】図１は本発明にかかる足裏形状測定装置の正面図である。
【図２】図２は本発明にかかる足裏形状測定装置の側面図である。
【図３】図３は複写部と接写部と遮光部とを分解して示した分解斜視図である。
【符号の説明】
１・・・・・複写部
２・・・・・接写部
３・・・・・遮光部
４・・・・・枠材
５・・・・・素足
６・・・・・撮影部
７・・・・・レール
８・・・・・ハードコピー作成部
９・・・・・被測定者
１０・・・・・排出部
１１・・・・・トレー
１２・・・・・コントロールパネル
１３・・・・・枠
１４・・・・・窓
１５・・・・・外枠
１６・・・・・被写体載置板
１７・・・・・光遮断層
１８・・・・・上面
１９・・・・・窓
２０・・・・・スリット
２１・・・・・遮光袋
２２・・・・・巾着部分
【図１】
0003544737.tif 000002
【図２】
0003544737.tif 000003
【図３】
0003544737.tif 000004